【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
基地局（ＢＳ）によるワイヤレス通信のための方法であって、
第１の持続時間の間、狭帯域リソースの第１のセット中で第１のタイプの信号を送信することと、
第２の持続時間の間、狭帯域リソースの第２のセット中で第２のタイプの信号を送信することと、ここにおいて、前記第１および第２の持続時間は重複する、
を備え、
前記方法は、
ユーザ機器（ＵＥ）が狭帯域リソースの前記第１のセットから狭帯域リソースの前記第２のセットにチューンアウェイすることになる、前記第１および第２の持続時間中のチューンアウェイ期間を決定するために、前記ＵＥと通信すること、ここにおいて、前記チューンアウェイ期間は、前記第１のタイプの信号または前記第２のタイプの信号のうちの少なくとも１つのバンドリングサイズに基づく、
をさらに備えることを特徴とする、方法。
【請求項２】
基地局（ＢＳ）によるワイヤレス通信のための方法であって、
第１の持続時間の間、狭帯域リソースの第１のセット中でブロードキャスト送信を備える第１のタイプの信号を送信することと、
第２の持続時間の間、狭帯域リソースの第２の異なるセット中でユニキャスト送信を備える第２のタイプの信号を送信することと、ここにおいて、前記第１および第２の持続時間は重複する、
を備え、
前記方法は、
狭帯域リソースの前記第１のセットから狭帯域リソースの前記第２のセットにチューンアウェイするために、前記ユニキャスト送信のバンドリングサイズに基づく第１の間欠受信（ＤＲＸ）サイクルをユーザ機器（ＵＥ）に与えること
をさらに備えることを特徴とする、方法。
【請求項３】
前記第１のタイプの信号または前記第２のタイプの信号のうちの少なくとも１つが、周波数ホッピング送信を備える、請求項１または２に記載の方法。
【請求項４】
前記第１のタイプの信号がブロードキャスト送信を備え、前記第２のタイプの信号がユニキャスト送信を備える、請求項１に記載の方法。
【請求項５】
前記ブロードキャスト送信が、物理ブロードキャストチャネル（ＰＢＣＨ）、システム情報ブロック（ＳＩＢ）、ページング送信、またはランダムアクセス応答（ＲＡＲ）を備え、
前記ユニキャスト送信が、物理ダウンリンク制御チャネル（ＰＤＣＣＨ）または物理ダウンリンク共有チャネル（ＰＤＳＣＨ）を備える、
請求項２または４に記載の方法。
【請求項６】
前記ブロードキャスト送信がページング送信を備え、前記第２の持続時間がページング機会を備える、または
前記ブロードキャスト送信がＲＡＲを備え、前記方法が、狭帯域リソースの第３のセット中でアップリンクランダムアクセスチャネル（ＲＡＣＨ）メッセージを受信することをさらに備える、
請求項５に記載の方法。
【請求項７】
前記第１の持続時間が第２のＤＲＸサイクルに基づき、ここにおいて、前記第２のＤＲＸサイクルは、前記第１のＤＲＸサイクルと重複しないまたは少なくとも部分的に重複する、
請求項２に記載の方法。
【請求項８】
ユーザ機器（ＵＥ）によるワイヤレス通信のための方法であって、
基地局（ＢＳ）が第１のタイプの信号を送信する第１の持続時間中に、狭帯域リソースの第１のセット中で前記第１のタイプの信号について監視すること、
を備え、
前記方法は、
前記ＵＥが狭帯域リソースの前記第１のセットから狭帯域リソースの第２のセットにチューンアウェイすることになる、チューンアウェイ期間を決定するために、前記ＢＳと通信することと、ここにおいて、前記チューンアウェイ期間は、前記第１のタイプの信号または前記第２のタイプの信号のうちの少なくとも１つのバンドリングサイズに基づく、
前記チューンアウェイ期間の間、第２のタイプの信号について監視するために、狭帯域リソースの第２のセットにチューンアウェイすることと、ここにおいて、前記第１の持続時間および前記チューンアウェイ期間は重複する、
によって特徴付けられる、方法。
【請求項９】
ユーザ機器（ＵＥ）によるワイヤレス通信のための方法であって、
基地局（ＢＳ）が第１のタイプの信号を送信する第１の持続時間中に、狭帯域リソースの第１のセット中で前記第１のタイプの信号について監視すること、
を備え、
前記方法は、
狭帯域リソースの前記第１のセットから狭帯域リソースの第２のセットにチューンアウェイするために、前記ユニキャスト送信のバンドリングサイズに基づく間欠受信（ＤＲＸ）サイクルを前記ＢＳから受信することと、
前記ＤＲＸサイクルのＤＲＸオン持続時間の間、第２のタイプの信号について監視するために、狭帯域リソースの前記第２のセットにチューンアウェイすることと、ここにおいて、前記第１の持続時間および前記ＤＲＸオン持続時間は重複する、
によって特徴付けられる、方法。
【請求項１０】
狭帯域リソースの前記第１のセットおよび狭帯域リソースの前記第２のセットが複数の狭帯域領域を備え、
前記監視することが、周波数ホッピングに基づいて狭帯域リソースの前記第１のセットまたは前記第２のセット中の狭帯域を監視することを備え、
前記方法は、前記第１のタイプの信号または前記第２のタイプの信号について監視するために、狭帯域リソースの前記第１のセットまたは前記第２のセットの異なる狭帯域領域に再チューンすることをさらに備える、
請求項８または９に記載の方法。
【請求項１１】
前記第１の持続時間は、前記第１のタイプの信号が正常に復号されるまでの持続時間を備え、
前記チューンアウェイ期間は、前記第２のタイプの信号が正常に復号されるまでの持続時間を備える、
請求項８に記載の方法。
【請求項１２】
狭帯域リソースの前記第１のセットの第１の部分上で前記第１のタイプの信号を復号することと、
前記第１のタイプの信号が正常に復号されると、狭帯域リソースの前記第１のセットの第２の部分を前記第２のタイプの信号について監視することと
をさらに備える、請求項８または９に記載の方法。
【請求項１３】
第３の持続時間の間、前記第１のタイプの信号または前記第２のタイプの信号について監視するために、狭帯域リソースの第３のセットにチューンアウェイすること
をさらに備える、請求項８または９に記載の方法。
【請求項１４】
請求項１ないし７のいずれか一項に記載の方法を実行するための手段を備える、基地局（ＢＳ）によるワイヤレス通信のための装置。
【請求項１５】
請求項９ないし１３のいずれか一項に記載の方法を実行するための手段を備える、ユーザ機器（ＵＥ）によるワイヤレス通信のための装置。
【手続補正２】
【補正対象書類名】明細書
【補正対象項目名】００９９
【補正方法】変更
【補正の内容】
【００９９】
[0115]特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に本願の出願当初の特許請求の範囲に記載された発明を付記する。
［Ｃ１］  基地局（ＢＳ）によるワイヤレス通信のための方法であって、
第１の持続時間の間、狭帯域リソースの第１のセット中で第１のタイプの信号を送信することと、
第２の持続時間の間、狭帯域リソースの第２のセット中で第２のタイプの信号を送信することと
を備える、方法。
［Ｃ２］  前記第１のタイプの信号または前記第２のタイプの信号のうちの少なくとも１つが、バンドルされた送信を備える、Ｃ１に記載の方法。
［Ｃ３］  前記第１のタイプの信号または前記第２のタイプの信号のうちの少なくとも１つが、周波数ホッピング送信を備える、Ｃ１に記載の方法。
［Ｃ４］  前記第１のタイプの信号がブロードキャスト送信を備え、前記第２のタイプの信号がユニキャスト送信を備える、Ｃ１に記載の方法。
［Ｃ５］  前記ブロードキャスト送信が、物理ブロードキャストチャネル（ＰＢＣＨ）、システム情報ブロック（ＳＩＢ）、ページング送信、またはランダムアクセス応答（ＲＡＲ）を備え、
前記ユニキャスト送信が、物理ダウンリンク制御チャネル（ＰＤＣＣＨ）または物理ダウンリンク共有チャネル（ＰＤＳＣＨ）を備える、
Ｃ４に記載の方法。
［Ｃ６］  前記ブロードキャスト送信がページング送信を備え、
前記第２の持続時間がページング機会を備える、
Ｃ５に記載の方法。
［Ｃ７］  前記ブロードキャスト送信がＲＡＲを備え、
前記方法が、狭帯域リソースの第３のセット中でアップリンクランダムアクセスチャネル（ＲＡＣＨ）メッセージを受信することをさらに備える、
Ｃ５に記載の方法。
［Ｃ８］  前記第２の持続時間が間欠受信（ＤＲＸ）サイクルに基づき、
前記ＤＲＸサイクルが前記ユニキャスト送信のバンドリングサイズに基づく、
Ｃ４に記載の方法。
［Ｃ９］  前記第１の持続時間または前記第２の持続時間のうちの少なくとも１つが、ユーザ機器（ＵＥ）と前記ＢＳとの間で合意された持続時間を備える、Ｃ１に記載の方法。
［Ｃ１０］  前記合意された持続時間が、前記第１のタイプの信号または前記第２のタイプの信号のうちの少なくとも１つのバンドリングサイズに基づく、Ｃ９に記載の方法。
［Ｃ１１］  前記第１の持続時間が第１の間欠受信（ＤＲＸ）サイクルに基づき、
前記第２の持続時間が第２のＤＲＸサイクルに基づく、
Ｃ１に記載の方法。
［Ｃ１２］  前記第１のＤＲＸサイクルが前記第２のＤＲＸサイクルと重複しない、Ｃ１１に記載の方法。
［Ｃ１３］  前記第１のＤＲＸサイクルが前記第２のＤＲＸサイクルと少なくとも部分的に重複する、Ｃ１１に記載の方法。
［Ｃ１４］  ユーザ機器（ＵＥ）によるワイヤレス通信のための方法であって、
第１の持続時間の間、狭帯域リソースの第１のセット中で第１のタイプの信号について監視することと、
第２の持続時間の間、第２のタイプの信号について監視するために、狭帯域リソースの第２のセットにチューンアウェイすることと
を備える、方法。
［Ｃ１５］  前記第１のタイプの信号がブロードキャスト送信を備え、前記第２のタイプの信号がユニキャスト送信を備える、Ｃ１に記載の方法。
［Ｃ１６］  前記ブロードキャスト送信が、物理ブロードキャストチャネル（ＰＢＣＨ）、システム情報ブロック（ＳＩＢ）、ページング送信、またはランダムアクセス応答（ＲＡＲ）を備え、
前記ユニキャスト送信が、物理ダウンリンク制御チャネル（ＰＤＣＣＨ）または物理ダウンリンク共有チャネル（ＰＤＳＣＨ）を備える、
Ｃ１５に記載の方法。
［Ｃ１７］  前記ブロードキャスト送信がページング送信を備え、
前記第２の持続時間がページング機会を備える、
Ｃ１６に記載の方法。
［Ｃ１８］  前記ブロードキャスト送信がＲＡＲを備え、
前記方法が、狭帯域リソースの第３のセット中でアップリンクランダムアクセスチャネル（ＲＡＣＨ）メッセージを送信することをさらに備える、
Ｃ１６に記載の方法。
［Ｃ１９］  前記第１の持続時間または前記第２の持続時間のうちの少なくとも１つが、前記ＵＥと基地局（ＢＳ）との間で合意された持続時間を備える、Ｃ１４に記載の方法。
［Ｃ２０］  前記合意された持続時間が、前記第１のタイプの信号または前記第２のタイプの信号のうちの少なくとも１つのバンドリングサイズに基づく、Ｃ１９に記載の方法。
［Ｃ２１］  前記第１の持続時間が第１の間欠受信（ＤＲＸ）サイクルに基づき、
前記第２の持続時間が第２のＤＲＸサイクルに基づく、
Ｃ１４に記載の方法。
［Ｃ２２］  前記第１のＤＲＸサイクルが前記第２のＤＲＸサイクルと重複しない、Ｃ２１に記載の方法。
［Ｃ２３］  前記第１のＤＲＸサイクルが前記第２のＤＲＸサイクルと少なくとも部分的に重複する、Ｃ２１に記載の方法。
［Ｃ２４］  狭帯域リソースの前記第１のセットおよび狭帯域リソースの前記第２のセットが複数の狭帯域領域を備え、
前記監視することが、周波数ホッピングに基づいて狭帯域リソースの前記第１のセットまたは前記第２のセット中の狭帯域を監視することを備える、
Ｃ１４に記載の方法。
［Ｃ２５］  前記第１のタイプの信号または前記第２のタイプの信号について監視するために、狭帯域リソースの前記第１のセットまたは前記第２のセットの異なる狭帯域領域に再チューンすることをさらに備える、Ｃ２４に記載の方法。
［Ｃ２６］  前記第１の持続時間は、前記第１のタイプの信号が正常に復号されるまでの持続時間を備え、
前記第２の持続時間は、前記第２のタイプの信号が正常に復号されるまでの持続時間を備える、
Ｃ１４に記載の方法。
［Ｃ２７］  狭帯域リソースの前記第１のセットの第１の部分上で前記第１のタイプの信号を復号することと、
前記第１のタイプの信号が正常に復号されると、狭帯域リソースの前記第１のセットの第２の部分を前記第２のタイプの信号について監視することと
をさらに備える、Ｃ１４に記載の方法。
［Ｃ２８］  第３の持続時間の間、前記第１のタイプの信号または前記第２のタイプの信号について監視するために、狭帯域リソースの第３のセットにチューンアウェイすること
をさらに備える、Ｃ１４に記載の方法。
［Ｃ２９］  基地局（ＢＳ）によるワイヤレス通信のための装置であって、
第１の持続時間の間、狭帯域リソースの第１のセット中で第１のタイプの信号を送信することと、
第２の持続時間の間、狭帯域リソースの第２のセット中で第２のタイプの信号を送信することと
を行うように構成された少なくとも１つのプロセッサと、
前記少なくとも１つのプロセッサと結合されたメモリと
を備える、装置。
［Ｃ３０］  ユーザ機器（ＵＥ）によるワイヤレス通信のための装置であって、
第１の持続時間の間、狭帯域リソースの第１のセット中で第１のタイプの信号について監視することと、
第２の持続時間の間、第２のタイプの信号について監視するために、狭帯域リソースの第２のセットにチューンアウェイすることと
を行うように構成された少なくとも１つのプロセッサと、
前記少なくとも１つのプロセッサと結合されたメモリと
を備える、装置。